【手続補正書】
【提出日】平成23年7月14日(2011.7.14)
【手続補正１】
【補正対象書類名】明細書
【補正対象項目名】０１２４
【補正方法】変更
【補正の内容】
【０１２４】
【表１５】
2010534743.tif 000001
表３の多くの組成物は、より低い吐出圧力および吐出温度を維持しながらＨＦＣ−１３４ａと比べて同様なエネルギー効率（ＣＯＰ）を有する。表３にリストされる組成物の幾つかについての冷凍能力もまたＲ１３４ａと同様であり、これらの組成物が冷凍およびエアコンでＲ１３４ａの代替冷媒であり得ることを示唆する。さらに、組成物の幾つかは低い平均グライドを有し、従ってフラデッドエバポレーター型冷却装置での使用を可能にする。
【手続補正２】
【補正対象書類名】明細書
【補正対象項目名】０１２５
【補正方法】変更
【補正の内容】
【０１２５】
以上、本発明を要約すると、下記のとおりである。
１．ａ．約５０質量パーセント〜約９９質量パーセントの１，２，３，３，３−ペンタフルオロプロペンおよび約５０質量パーセント〜約１質量パーセントの２，３，３，３−テトラフルオロプロペン；
ｂ．１，２，３，３，３−ペンタフルオロプロペンおよびペンタフルオロエタン；
ｃ．１，２，３，３，３−ペンタフルオロプロペンおよびシクロプロパン；
ｄ．１，２，３，３，３−ペンタフルオロプロペンおよびプロピレン；
ｅ．１，２，３，３，３−ペンタフルオロプロペンおよびフルオロエタン；
ｆ．１，２，３，３，３−ペンタフルオロプロペンおよびプロピレン；
ｇ．１，２，３，３，３−ペンタフルオロプロペン、１，１，１，２−テトラフルオロエタンおよびペンタフルオロエタン；
ｈ．１，２，３，３，３−ペンタフルオロプロペン、１，１，１，２−テトラフルオロエタン、およびフルオロエタン；
ｉ．１，２，３，３，３−ペンタフルオロプロペン、１，１，１，２−テトラフルオロエタン、およびシクロプロパン；
ｊ．１，２，３，３，３−ペンタフルオロプロペン、１，１，１，２−テトラフルオロエタン、およびアンモニア；
ｋ．１，２，３，３，３−ペンタフルオロプロペン、１，１，１，２−テトラフルオロエタン、およびプロピレン；
ｌ．１，２，３，３，３−ペンタフルオロプロペン、１，１，１，２−テトラフルオロエタン、ペンタフルオロエタン、およびアンモニア；
ｍ．１，２，３，３，３−ペンタフルオロプロペン、１，１，１，２−テトラフルオロエタン、ペンタフルオロエタン、およびシクロプロパン；
ｎ．１，２，３，３，３−ペンタフルオロプロペン、１，１，１，２−テトラフルオロエタン、ペンタフルオロエタン、およびプロパン；
ｏ．１，２，３，３，３−ペンタフルオロプロペン、１，１，１，２−テトラフルオロエタン、ペンタフルオロエタン、およびプロピレン；または
ｐ．１，２，３，３，３−ペンタフルオロプロペン、１，１，１，２−テトラフルオロエタン、ペンタフルオロエタン、およびジフルオロメタン
からなる群から選択された組成物。
２．本質的に
ａ．１，２，３，３，３−ペンタフルオロプロペンおよびペンタフルオロエタン；
ｂ．１，２，３，３，３−ペンタフルオロプロペンおよびアンモニア；または
ｃ．１，２，３，３，３−ペンタフルオロプロペンおよび１，１−ジフルオロエタン
からなるａ．ｂまたはｃからなる群から選択された組成物。
３．ポリアルキレングリコール、ポリオールエステル、ポリビニルエーテル、鉱油、アルキルベンゼン、合成パラフィン、合成ナフテン、またはポリ（アルファ）オレフィンからなる群から選択された潤滑剤をさらに含む、上記１に記載の組成物。
４．相溶化剤、ＵＶ染料、可溶化剤、トレーサー、安定剤、パーフルオロポリエーテルまたは官能化パーフルオロポリエーテルからなる群から選択された少なくとも１つの添加剤をさらに含む、上記１に記載の組成物。
５．ａ．約８０質量パーセント〜約９９質量パーセントの１，２，３，３，３−ペンタフルオロプロペンおよび約２０質量パーセント〜約１質量パーセントのペンタフルオロエタン；
ｂ．約９０質量パーセント〜約９９質量パーセントの１，２，３，３，３−ペンタフル
オロプロペンおよび約１０質量パーセント〜約１質量パーセントのシクロプロパン；
ｃ．約９０質量パーセント〜約９９質量パーセントの１，２，３，３，３−ペンタフルオロプロペンおよび約１０質量パーセント〜約１質量パーセントのプロピレン；
ｄ．約９０〜約９９質量パーセントの１，２，３，３，３−ペンタフルオロプロペンおよび約１〜約１０質量パーセントのフルオロエタン；
ｅ．約９０〜約９９質量パーセントの１，２，３，３，３−ペンタフルオロプロペンおよび約１〜約１０質量パーセントのアンモニア；
ｆ．約９０〜約９９質量パーセントの１，２，３，３，３−ペンタフルオロプロペンおよび約１〜約１０質量パーセントのプロピレン；
ｇ．約４０質量パーセント〜約９８質量パーセントの１，２，３，３，３−ペンタフルオロプロペン、約１質量パーセント〜約５０質量パーセントの１，１，１，２−テトラフルオロエタンおよび約１質量パーセント〜約２０質量パーセントのペンタフルオロエタン；
ｈ．約４０質量パーセント〜約９８質量パーセントの１，２，３，３，３−ペンタフルオロプロペン、約１質量パーセント〜約５０質量パーセントの１，１，１，２−テトラフルオロエタン、および約１質量パーセント〜約１０質量パーセントのフルオロエタン；
ｉ．約４０質量パーセント〜約９８質量パーセントの１，２，３，３，３−ペンタフルオロプロペン、約１質量パーセント〜約５０質量パーセントの１，１，１，２−テトラフルオロエタン、および約１質量パーセント〜約１０質量パーセントのシクロプロパン；
ｊ．約４０質量パーセント〜約９８質量パーセントの１，２，３，３，３−ペンタフルオロプロペン、約１質量パーセント〜約５０質量パーセントの１，１，１，２−テトラフルオロエタン、および約１質量パーセント〜約５質量パーセントのアンモニア；
ｋ．約４０質量パーセント〜約９８質量パーセントの１，２，３，３，３−ペンタフルオロプロペン、約１質量パーセント〜約５０質量パーセントの１，１，１，２−テトラフルオロエタン、および約１質量パーセント〜約５質量パーセントのプロピレン；
ｌ．約４０質量パーセント〜約９７質量パーセントの１，２，３，３，３−ペンタフルオロプロペン、約１質量パーセント〜約５０質量パーセントの１，１，１，２−テトラフルオロエタン、約１質量パーセント〜約２０質量パーセントのペンタフルオロエタン、および約１質量パーセント〜約５質量パーセントのアンモニア；
ｍ．約４０質量パーセント〜約９７質量パーセントの１，２，３，３，３−ペンタフルオロプロペン、約１質量パーセント〜約５０質量パーセントの１，１，１，２−テトラフルオロエタン、約１質量パーセント〜約２０質量パーセントのペンタフルオロエタン、および約１質量パーセント〜約５質量パーセントのシクロプロパン；
ｎ．約４０質量パーセント〜約９７質量パーセントの１，２，３，３，３−ペンタフルオロプロパン、約１質量パーセント〜約５０質量パーセントの１，１，１，２−テトラフルオロエタン、約１質量パーセント〜約２０質量パーセントのペンタフルオロエタン、および約１質量パーセント〜約５質量パーセントのプロパン；
ｏ．約４０質量パーセント〜約９７質量パーセントの１，２，３，３，３−ペンタフルオロプロペン、約１質量パーセント〜約５０質量パーセントの１，１，１，２−テトラフルオロエタン、約１質量パーセント〜約２０質量パーセントのペンタフルオロエタン、および約１質量パーセント〜約５質量パーセントのプロピレン；または
ｐ．約４０質量パーセント〜約９７質量パーセントの１，２，３，３，３−ペンタフルオロプロペン、約１質量パーセント〜約５０質量パーセントの１，１，１，２−テトラフルオロエタン、約１質量パーセント〜約２０質量パーセントのペンタフルオロエタン、および約１質量パーセント〜約１０質量パーセントのジフルオロメタン
からなる群から選択された、上記１に記載の組成物。
６．本質的に
ａ．約８０質量パーセント〜約９９質量パーセントの１，２，３，３，３−ペンタフルオロプロペンおよび約１質量パーセント〜約２０質量パーセントのペンタフルオロエタン；
ｂ．約９０質量パーセント〜約９９質量パーセントの１，２，３，３，３−ペンタフルオロプロペンおよび約１質量パーセント〜約１０質量パーセントのアンモニア；または
ｃ．約９０質量パーセント〜約９９質量パーセントの１，２，３，３，３−ペンタフルオロプロペンおよび約１質量パーセント〜約１０質量パーセントの１，１−ジフルオロエタン
からなる、上記２に記載の組成物。
７．冷却しようとする本体の近くで上記１または２に記載の組成物を蒸発させる工程と、その後、該組成物を凝縮させる工程とを含み、ここで組成物が冷媒である移動式エアコンシステムで冷却を行う方法。
８．冷却媒体をエバポレーターに通す工程と、上記１または２に記載の組成物を蒸発させて蒸気を生成させる工程と、それによって冷却媒体を冷却する工程と、冷却媒体をエバポレーター外に出して冷却しようとする本体へ通過させる工程とを含む、フラッデドエバポレーター冷却装置で冷却を生じさせる方法。
９．上記１または２に記載の組成物をエバポレーターに通す工程と、冷却媒体をエバポレーターで蒸発させて冷却媒体蒸気を生成させる工程と、それによって組成物を冷却する工程と、組成物をエバポレーター外に出して、冷却しようとする本体へ通過させる工程とを含む、直膨型冷却装置で冷却を行う方法。
１０．フラッデドエバポレーター冷却装置、直膨型冷却装置または閉ループ式伝熱システムでＨＦＣ−１３４ａを置き換える方法であって、上記１または２に記載の組成物をＨＦＣ−１３４ａの代わりに上記フラデッドエバポレーター冷却装置、直接膨張式冷却装置または閉ループ式伝熱システムに備える工程を含む方法。
１１．冷却媒体をエバポレーターに通す工程と、組成物を蒸発させて蒸気を生成させる工程と、それによって冷却媒体を冷却する工程と、冷却媒体をエバポレーター外に出して冷却しようとする本体へ通過させる工程とを含む、フラッデドエバポレーター冷却装置で冷却を生じさせる方法であって、ここで組成物が
ａ．１，２，３，３，３−ペンタフルオロプロペンおよびジフルオロメタン；
ｂ．１，２，３，３，３−ペンタフルオロプロペンおよびペンタフルオロエタン；
ｃ．１，２，３，３，３−ペンタフルオロプロペンおよび１，１，１，２−テトラフルオロエタン；
ｄ．１，２，３，３，３−ペンタフルオロプロペンおよび１，１−ジフルオロエタン；
ｅ．１，２，３，３，３−ペンタフルオロプロペンおよびシクロプロパン；
ｆ．１，２，３，３，３−ペンタフルオロプロペンおよびプロパン；
ｇ．１，２，３，３，３−ペンタフルオロプロペン、２，３，３，３−テトラフルオロプロペンおよび１，１，１，２−テトラフルオロエタン；
ｈ．１，２，３，３，３−ペンタフルオロプロペン、１，１，１，２−テトラフルオロエタンおよびジフルオロメタン；
ｉ．１，２，３，３，３−ペンタフルオロプロペン、１，１，１，２−テトラフルオロエタンおよび１，１−ジフルオロエタン；
ｊ．１，２，３，３，３−ペンタフルオロプロペン、１，１，１，２−テトラフルオロエタンおよびフルオロエタン；または
ｋ．１，２，３，３，３−ペンタフルオロプロペン、１，１，１，２−テトラフルオロエタンおよびプロパン
からなる群から選択される方法。
１２．組成物をエバポレーターに通す工程と、冷却媒体をエバポレーターで蒸発させて冷却媒体蒸気を生成させる工程と、それによって組成物を冷却する工程と、組成物をエバポレーター外に出して、冷却しようとする本体へ通過させる工程とを含む、直膨型冷却装置で冷却を生じさせる方法であって、ここで組成物が
ａ．１，２，３，３，３−ペンタフルオロプロペンおよびジフルオロメタン；
ｂ．１，２，３，３，３−ペンタフルオロプロペンおよびペンタフルオロエタン；
ｃ．１，２，３，３，３−ペンタフルオロプロペンおよび１，１，１，２−テトラフル
オロエタン；
ｄ．１，２，３，３，３−ペンタフルオロプロペンおよび１，１−ジフルオロエタン；
ｅ．１，２，３，３，３−ペンタフルオロプロペンおよびシクロプロパン；
ｆ．１，２，３，３，３−ペンタフルオロプロペンおよびプロパン；
ｇ．１，２，３，３，３−ペンタフルオロプロペン、２，３，３，３−テトラフルオロプロペンおよび１，１，１，２−テトラフルオロエタン；
ｈ．１，２，３，３，３−ペンタフルオロプロペン、１，１，１，２−テトラフルオロエタンおよびジフルオロメタン；
ｉ．１，２，３，３，３−ペンタフルオロプロペン、１，１，１，２−テトラフルオロエタンおよび１，１−ジフルオロエタン；
ｊ．１，２，３，３，３−ペンタフルオロプロペン、１，１，１，２−テトラフルオロエタンおよびフルオロエタン；または
ｋ．１，２，３，３，３−ペンタフルオロプロペン、１，１，１，２−テトラフルオロエタンおよびプロパン
からなる群から選択される方法。
１３．フラッデドエバポレーター冷却装置または直膨型冷却装置でＨＦＣ−１３４ａを置き換える方法であって、組成物を上記フラデッドエバポレーター冷却装置または直膨型冷却装置に備える工程を含み、ここで上記組成物が
ａ．１，２，３，３，３−ペンタフルオロプロペンおよびジフルオロメタン；
ｂ．１，２，３，３，３−ペンタフルオロプロペンおよびペンタフルオロエタン；
ｃ．１，２，３，３，３−ペンタフルオロプロペンおよび１，１，１，２−テトラフルオロエタン；
ｄ．１，２，３，３，３−ペンタフルオロプロペンおよび１，１−ジフルオロエタン；
ｅ．１，２，３，３，３−ペンタフルオロプロペンおよびシクロプロパン；
ｆ．１，２，３，３，３−ペンタフルオロプロペンおよびプロパン；    
ｇ．１，２，３，３，３−ペンタフルオロプロペン、２，３，３，３−テトラフルオロプロペンおよび１，１，１，２−テトラフルオロエタン；
ｈ．１，２，３，３，３−ペンタフルオロプロペン、１，１，１，２−テトラフルオロエタンおよびジフルオロメタン；
ｉ．１，２，３，３，３−ペンタフルオロプロペン、１，１，１，２−テトラフルオロエタンおよび１，１−ジフルオロエタン；
ｊ．１，２，３，３，３−ペンタフルオロプロペン、１，１，１，２−テトラフルオロエタンおよびフルオロエタン；または
ｋ．１，２，３，３，３−ペンタフルオロプロペン、１，１，１，２−テトラフルオロエタンおよびプロパン
からなる群から選択される方法。
１４．組成物が、
ａ．約８０質量パーセント〜約９９質量パーセントの１，２，３，３，３−ペンタフルオロプロペンおよび約２０質量パーセント〜約１質量パーセントのジフルオロメタン；
ｂ．約８０質量パーセント〜約９９質量パーセントの１，２，３，３，３−ペンタフルオロプロパンおよび約２０質量パーセント〜約１質量パーセントのペンタフルオロエタン；
ｃ．約５０質量パーセント〜約９９質量パーセントの１，２，３，３，３−ペンタフルオロプロペンおよび約５０質量パーセント〜約１質量パーセントの１，１，１，２−テトラフルオロエタン；
ｄ．約９０質量パーセント〜約９９質量パーセントの１，２，３，３，３−ペンタフルオロプロペンおよび約１０質量パーセント〜約１質量パーセントの１，１−ジフルオロエタン；
ｅ．約９０質量パーセント〜約９９質量パーセントの１，２，３，３，３−ペンタフルオロプロパンおよび約１０質量パーセント〜約１質量パーセントのシクロプロパン；
ｆ．約９０質量パーセント〜約９９質量パーセントの１，２，３，３，３−ペンタフルオロプロペンおよび約１０質量パーセント〜約１質量パーセントのプロパン；
ｇ．約１質量パーセント〜約６０質量パーセントの１，２，３，３，３−ペンタフルオロプロペン、約２０質量パーセント〜約５０質量パーセントの１，１，１，２−テトラフルオロエタン、および約１質量パーセント〜約５０質量パーセントの２，３，３，３−テトラフルオロプロペン；
ｈ．約４０質量パーセント〜約９８質量パーセントの１，２，３，３，３−ペンタフルオロプロペン、約１質量パーセント〜約５０質量パーセントの１，１，１，２−テトラフルオロエタン、および約１質量パーセント〜約１０質量パーセントのジフルオロメタン；
ｉ．約４０質量パーセント〜約９８質量パーセントの１，２，３，３，３−ペンタフルオロプロペン、約１質量パーセント〜約５０質量パーセントの１，１，１，２−テトラフルオロエタン、および約１質量パーセント〜約１０質量パーセントの１，１−ジフルオロエタン；
ｊ．約４０質量パーセント〜約９８質量パーセントの１，２，３，３，３−ペンタフルオロプロパン、約１質量パーセント〜約５０質量パーセントの１，１，１，２−テトラフルオロエタン、および約１質量パーセント〜約１０質量パーセントのフルオロエタン；または
ｋ．約４０質量パーセント〜約９８質量パーセントの１，２，３，３，３−ペンタフルオロプロペン、約１質量パーセント〜約５０質量パーセントの１，１，１，２−テトラフルオロエタン、および約１質量パーセント〜約５質量パーセントのプロパン
からなる群から選択される、上記１１〜１３のいずれかに記載の方法。
１５．凝縮させる工程の前に組成物を圧縮する工程をさらに含み、そしてここで該圧縮が遠心、スクリュー、スクロールまたは往復式圧縮機で起こる、上記８、９、１１または１２のいずれかに記載の方法。
【手続補正３】
【補正対象書類名】特許請求の範囲
【補正対象項目名】全文
【補正方法】変更
【補正の内容】
【特許請求の範囲】
【請求項１】
ａ．約５０質量パーセント〜約９９質量パーセントの１，２，３，３，３−ペンタフルオロプロペンおよび約５０質量パーセント〜約１質量パーセントの２，３，３，３−テトラフルオロプロペン；
ｂ．１，２，３，３，３−ペンタフルオロプロペンおよびペンタフルオロエタン；
ｃ．１，２，３，３，３−ペンタフルオロプロペンおよびシクロプロパン；
ｄ．１，２，３，３，３−ペンタフルオロプロペンおよびプロピレン；
ｅ．１，２，３，３，３−ペンタフルオロプロペンおよびフルオロエタン；
ｆ．１，２，３，３，３−ペンタフルオロプロペンおよびプロピレン；
ｇ．１，２，３，３，３−ペンタフルオロプロペン、１，１，１，２−テトラフルオロエタンおよびペンタフルオロエタン；
ｈ．１，２，３，３，３−ペンタフルオロプロペン、１，１，１，２−テトラフルオロエタン、およびフルオロエタン；
ｉ．１，２，３，３，３−ペンタフルオロプロペン、１，１，１，２−テトラフルオロエタン、およびシクロプロパン；
ｊ．１，２，３，３，３−ペンタフルオロプロペン、１，１，１，２−テトラフルオロエタン、およびアンモニア；
ｋ．１，２，３，３，３−ペンタフルオロプロペン、１，１，１，２−テトラフルオロエタン、およびプロピレン；
ｌ．１，２，３，３，３−ペンタフルオロプロペン、１，１，１，２−テトラフルオロ
エタン、ペンタフルオロエタン、およびアンモニア；
ｍ．１，２，３，３，３−ペンタフルオロプロペン、１，１，１，２−テトラフルオロエタン、ペンタフルオロエタン、およびシクロプロパン；
ｎ．１，２，３，３，３−ペンタフルオロプロペン、１，１，１，２−テトラフルオロエタン、ペンタフルオロエタン、およびプロパン；
ｏ．１，２，３，３，３−ペンタフルオロプロペン、１，１，１，２−テトラフルオロエタン、ペンタフルオロエタン、およびプロピレン；または
ｐ．１，２，３，３，３−ペンタフルオロプロペン、１，１，１，２−テトラフルオロエタン、ペンタフルオロエタン、およびジフルオロメタン
からなる群から選択された組成物。
【請求項２】
本質的に
ａ．１，２，３，３，３−ペンタフルオロプロペンおよびペンタフルオロエタン；
ｂ．１，２，３，３，３−ペンタフルオロプロペンおよびアンモニア；または
ｃ．１，２，３，３，３−ペンタフルオロプロペンおよび１，１−ジフルオロエタン
からなるａ．ｂまたはｃからなる群から選択された組成物。
【請求項３】
冷却しようとする本体の近くで請求項１または２に記載の組成物を蒸発させる工程と、その後、該組成物を凝縮させる工程とを含み、ここで組成物が冷媒である移動式エアコンシステムで冷却を生じさせる方法。
【請求項４】
冷却媒体をエバポレーターに通す工程と、請求項１または２に記載の組成物を蒸発させて蒸気を生成させる工程と、それによって冷却媒体を冷却する工程と、冷却媒体をエバポレーター外に出して冷却しようとする本体へ通過させる工程とを含む、フラッデドエバポレーター冷却装置で冷却を生じさせる方法。
【請求項５】
請求項１または２に記載の組成物をエバポレーターに通す工程と、冷却媒体をエバポレーターで蒸発させて冷却媒体蒸気を生成させる工程と、それによって組成物を冷却する工程と、組成物をエバポレーター外に出して、冷却しようとする本体へ通過させる工程とを含む、直接膨張式冷却装置で冷却を生じさせる方法。
【請求項６】
フラッデドエバポレーター冷却装置、直接膨張式冷却装置または閉ループ式伝熱システムでＨＦＣ−１３４ａを置き換える方法であって、請求項１または２に記載の組成物をＨＦＣ−１３４ａの代わりに上記フラデッドエバポレーター冷却装置、直接膨張式冷却装置または閉ループ式伝熱システムに備える工程を含む方法。
【請求項７】
冷却媒体をエバポレーターに通す工程と、組成物を蒸発させて蒸気を生成させる工程と、それによって冷却媒体を冷却する工程と、冷却媒体をエバポレーター外に出して冷却しようとする本体へ通過させる工程とを含む、フラッデドエバポレーター冷却装置で冷却を生じさせる方法であって、ここで組成物が
ａ．１，２，３，３，３−ペンタフルオロプロペンおよびジフルオロメタン；
ｂ．１，２，３，３，３−ペンタフルオロプロペンおよびペンタフルオロエタン；
ｃ．１，２，３，３，３−ペンタフルオロプロペンおよび１，１，１，２−テトラフルオロエタン；
ｄ．１，２，３，３，３−ペンタフルオロプロペンおよび１，１−ジフルオロエタン；
ｅ．１，２，３，３，３−ペンタフルオロプロペンおよびシクロプロパン；
ｆ．１，２，３，３，３−ペンタフルオロプロペンおよびプロパン；
ｇ．１，２，３，３，３−ペンタフルオロプロペン、２，３，３，３−テトラフルオロプロペンおよび１，１，１，２−テトラフルオロエタン；
ｈ．１，２，３，３，３−ペンタフルオロプロペン、１，１，１，２−テトラフルオロ
エタンおよびジフルオロメタン；
ｉ．１，２，３，３，３−ペンタフルオロプロペン、１，１，１，２−テトラフルオロエタンおよび１，１−ジフルオロエタン；
ｊ．１，２，３，３，３−ペンタフルオロプロペン、１，１，１，２−テトラフルオロエタンおよびフルオロエタン；または
ｋ．１，２，３，３，３−ペンタフルオロプロペン、１，１，１，２−テトラフルオロエタンおよびプロパン
からなる群から選択される方法。
【請求項８】
組成物をエバポレーターに通す工程と、冷却媒体をエバポレーターで蒸発させて冷却媒体蒸気を生成させる工程と、それによって組成物を冷却する工程と、組成物をエバポレーター外に出して、冷却しようとする本体へ通過させる工程とを含む、直接膨張式冷却装置で冷却を生じさせる方法であって、ここで組成物が
ａ．１，２，３，３，３−ペンタフルオロプロペンおよびジフルオロメタン；
ｂ．１，２，３，３，３−ペンタフルオロプロペンおよびペンタフルオロエタン；
ｃ．１，２，３，３，３−ペンタフルオロプロペンおよび１，１，１，２−テトラフルオロエタン；
ｄ．１，２，３，３，３−ペンタフルオロプロペンおよび１，１−ジフルオロエタン；
ｅ．１，２，３，３，３−ペンタフルオロプロペンおよびシクロプロパン；
ｆ．１，２，３，３，３−ペンタフルオロプロペンおよびプロパン；
ｇ．１，２，３，３，３−ペンタフルオロプロペン、２，３，３，３−テトラフルオロプロペンおよび１，１，１，２−テトラフルオロエタン；
ｈ．１，２，３，３，３−ペンタフルオロプロペン、１，１，１，２−テトラフルオロエタンおよびジフルオロメタン；
ｉ．１，２，３，３，３−ペンタフルオロプロペン、１，１，１，２−テトラフルオロエタンおよび１，１−ジフルオロエタン；
ｊ．１，２，３，３，３−ペンタフルオロプロペン、１，１，１，２−テトラフルオロエタンおよびフルオロエタン；または
ｋ．１，２，３，３，３−ペンタフルオロプロペン、１，１，１，２−テトラフルオロエタンおよびプロパン
からなる群から選択される方法。
【請求項９】
フラッデドエバポレーター冷却装置または直接膨張式冷却装置でＨＦＣ−１３４ａを置き換える方法であって、組成物を上記フラデッドエバポレーター冷却装置または直接膨張式冷却装置に備える工程を含み、ここで上記組成物が
ａ．１，２，３，３，３−ペンタフルオロプロペンおよびジフルオロメタン；
ｂ．１，２，３，３，３−ペンタフルオロプロペンおよびペンタフルオロエタン；
ｃ．１，２，３，３，３−ペンタフルオロプロペンおよび１，１，１，２−テトラフルオロエタン；
ｄ．１，２，３，３，３−ペンタフルオロプロペンおよび１，１−ジフルオロエタン；
ｅ．１，２，３，３，３−ペンタフルオロプロペンおよびシクロプロパン；
ｆ．１，２，３，３，３−ペンタフルオロプロペンおよびプロパン；    
ｇ．１，２，３，３，３−ペンタフルオロプロペン、２，３，３，３−テトラフルオロプロペンおよび１，１，１，２−テトラフルオロエタン；
ｈ．１，２，３，３，３−ペンタフルオロプロペン、１，１，１，２−テトラフルオロエタンおよびジフルオロメタン；
ｉ．１，２，３，３，３−ペンタフルオロプロペン、１，１，１，２−テトラフルオロエタンおよび１，１−ジフルオロエタン；
ｊ．１，２，３，３，３−ペンタフルオロプロペン、１，１，１，２−テトラフルオロエタンおよびフルオロエタン；または
ｋ．１，２，３，３，３−ペンタフルオロプロペン、１，１，１，２−テトラフルオロエタンおよびプロパン
からなる群から選択される方法。
【請求項１０】
組成物が、
ａ．約８０質量パーセント〜約９９質量パーセントの１，２，３，３，３−ペンタフルオロプロペンおよび約２０質量パーセント〜約１質量パーセントのジフルオロメタン；
ｂ．約８０質量パーセント〜約９９質量パーセントの１，２，３，３，３−ペンタフルオロプロパンおよび約２０質量パーセント〜約１質量パーセントのペンタフルオロエタン；
ｃ．約５０質量パーセント〜約９９質量パーセントの１，２，３，３，３−ペンタフルオロプロペンおよび約５０質量パーセント〜約１質量パーセントの１，１，１，２−テトラフルオロエタン；
ｄ．約９０質量パーセント〜約９９質量パーセントの１，２，３，３，３−ペンタフルオロプロペンおよび約１０質量パーセント〜約１質量パーセントの１，１−ジフルオロエタン；
ｅ．約９０質量パーセント〜約９９質量パーセントの１，２，３，３，３−ペンタフルオロプロパンおよび約１０質量パーセント〜約１質量パーセントのシクロプロパン；
ｆ．約９０質量パーセント〜約９９質量パーセントの１，２，３，３，３−ペンタフルオロプロペンおよび約１０質量パーセント〜約１質量パーセントのプロパン；
ｇ．約１質量パーセント〜約６０質量パーセントの１，２，３，３，３−ペンタフルオロプロペン、約２０質量パーセント〜約５０質量パーセントの１，１，１，２−テトラフルオロエタン、および約１質量パーセント〜約５０質量パーセントの２，３，３，３−テトラフルオロプロペン；
ｈ．約４０質量パーセント〜約９８質量パーセントの１，２，３，３，３−ペンタフルオロプロペン、約１質量パーセント〜約５０質量パーセントの１，１，１，２−テトラフルオロエタン、および約１質量パーセント〜約１０質量パーセントのジフルオロメタン；
ｉ．約４０質量パーセント〜約９８質量パーセントの１，２，３，３，３−ペンタフルオロプロペン、約１質量パーセント〜約５０質量パーセントの１，１，１，２−テトラフルオロエタン、および約１質量パーセント〜約１０質量パーセントの１，１−ジフルオロエタン；
ｊ．約４０質量パーセント〜約９８質量パーセントの１，２，３，３，３−ペンタフルオロプロパン、約１質量パーセント〜約５０質量パーセントの１，１，１，２−テトラフルオロエタン、および約１質量パーセント〜約１０質量パーセントのフルオロエタン；または
ｋ．約４０質量パーセント〜約９８質量パーセントの１，２，３，３，３−ペンタフルオロプロペン、約１質量パーセント〜約５０質量パーセントの１，１，１，２−テトラフルオロエタン、および約１質量パーセント〜約５質量パーセントのプロパン
からなる群から選択される、請求項７〜９のいずれか一項に記載の方法。
【請求項１１】
凝縮させる工程の前に組成物を圧縮する工程をさらに含み、そしてここで該圧縮が遠心、スクリュー、スクロールまたは往復式圧縮機で起こる、請求項４、５、７または８のいずれか一項に記載の方法。